【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
ビデオ・タイトル・セット情報、メニュー用ビデオ・オブジェクト・セット及びタイトル用ビデオ・オブジェクト・セットから構成されるビデオ・タイトル・セットが記録された光ディスクから当該ビデオ・タイトルを再生する再生システムにおいて、
前記タイトル用ビデオ・オブジェクト・セット及び前記メニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に当該再生装置に固有の言語コードと前記ビデオ・タイトル・セット・メニュー言語コードとの一致で前記ビデオ・タイトル・セット・メニュー言語ユニットが獲得されることを特徴とする再生システム。
【請求項２】
ビデオ・タイトル・セット情報、メニュー用ビデオ・オブジェクト・セット及びタイトル用ビデオ・オブジェクト・セットから構成されるビデオ・タイトル・セットが記録された光ディスクから当該ビデオ・タイトルを再生する再生方法において、
前記タイトル用ビデオ・オブジェクト・セット及び前記メニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に当該再生方法に固有の言語コードと前記ビデオ・タイトル・セット・メニュー言語コードとの一致で前記ビデオ・タイトル・セット・メニュー言語ユニットが獲得されることを特徴とする再生方法。
【請求項３】
ビデオ・タイトル・セット情報、メニュー用ビデオ・オブジェクト・セット及びタイトル用ビデオ・オブジェクト・セットから構成されるビデオ・タイトル・セットを物理的に光ディスクに記録する光ディスクの記録方法において、
前記タイトル用ビデオ・オブジェクト・セット及び前記ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に再生装置に固有の言語コードと前記ビデオ・タイトル・セット・メニュー言語コードとの一致で前記ビデオ・タイトル・セット・メニュー言語ユニットを獲得するように前記ビデオ・タイトル・セット・メニュー言語コードが前記ビデオ・タイトル・セット・メニュー言語ユニット・サーチ・ポインタ内に記録されることを特徴とする光ディスクの記録方法。
【手続補正２】
【補正対象書類名】明細書
【補正対象項目名】０００５
【補正方法】変更
【補正の内容】
【０００５】
この発明によれば、
ビデオ・タイトル・セット情報、メニュー用ビデオ・オブジェクト・セット及びタイトル用ビデオ・オブジェクト・セットから構成されるビデオ・タイトル・セットが記録された光ディスクから当該ビデオ・タイトルを再生する再生システムにおいて、
前記タイトル用ビデオ・オブジェクト・セット及び前記メニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に当該再生装置に固有の言語コードと前記ビデオ・タイトル・セット・メニュー言語コードとの一致で前記ビデオ・タイトル・セット・メニュー言語ユニットが獲得されることを特徴とする再生システムが提供される。
【手続補正３】
【補正対象書類名】明細書
【補正対象項目名】０００６
【補正方法】変更
【補正の内容】
【０００６】
また、この発明によれば、
ビデオ・タイトル・セット情報、メニュー用ビデオ・オブジェクト・セット及びタイトル用ビデオ・オブジェクト・セットから構成されるビデオ・タイトル・セットが記録された光ディスクから当該ビデオ・タイトルを再生する再生方法において、
前記タイトル用ビデオ・オブジェクト・セット及び前記メニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に当該再生方法に固有の言語コードと前記ビデオ・タイトル・セット・メニュー言語コードとの一致で前記ビデオ・タイトル・セット・メニュー言語ユニットが獲得されることを特徴とする再生方法が提供される。
【手続補正４】
【補正対象書類名】明細書
【補正対象項目名】０００７
【補正方法】変更
【補正の内容】
【０００７】
更に、この発明によれば、
ビデオ・タイトル・セット情報、メニュー用ビデオ・オブジェクト・セット及びタイトル用ビデオ・オブジェクト・セットから構成されるビデオ・タイトル・セットを物理的に光ディスクに記録する光ディスクの記録方法において、
前記タイトル用ビデオ・オブジェクト・セット及び前記ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせ１再生単位に定められ、
前記ビデオ・タイトル・セット情報は、前記メニュー用及びタイトル用ビデオ・オブジェクト・セットのスタート・アドレスが記述される前記タイトル・セット情報管理テーブル、タイトル再生の為のタイトル用プログラム・チェーンを定めるタイトル用プログラム・チェーン情報テーブル並びに前記メニュー再生の為のメニュー用プログラム・チェーンを定めるメニュー用プログラム・チェーン情報ユニット・テーブルを含み、
前記メニュー用プログラム・チェーン情報ユニット・テーブルには、ビデオ・タイトル・セット・メニュー言語ユニット及びこのビデオ・タイトル・セット・メニュー言語ユニットをサーチするためのビデオ・タイトル・セット・メニュー言語ユニット・サーチ・ポインタを備え、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記メニュー用プログラム・チェーンの再生を定めるビデオ・タイトル・セット・メニュー・プログラム・チェーン情報及びこのビデオ・タイトル・セット・メニュー・プログラム・チェーン情報をサーチするためのビデオ・タイトル・セット・メニュー・プログラム・チェーン情報サーチ・ポインタが記述され、
前記ビデオ・タイトル・セット・メニュー・プログラム・チェーン情報は、当該ビデオ・タイトル・セット・メニュー・プログラム・チェーン内における前記セルの再生順序を特定する為にセル再生情報が再生順序に記述されたセル再生情報テーブルを含み、前記セル再生情報が当該セルを構成する最初のビデオ・オブジェクト・ユニットのアドレス及び最後のビデオ・オブジェクト・ユニットのアドレスを含み、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するサーチ・ポインタを有し、前記タイトル用プログラム・チェーンがプログラムから構成され、前記プログラムが前記セルの集合として定義され、
前記タイトル用プログラム・チェーン情報は、前記タイトル用プログラム・チェーン内の前記プログラムの構成を示すプログラム・チェーン・プログラム・マップ及び当該タイトル用プログラム・チェーン内における前記セルを再生する為のセル再生情報がセル番号順に配列されたセル再生情報テーブルを含み、、
前記プログラム・チェーン・プログラム・マップには、プログラムの開始セル番号であるエントリー・セル番号がセル番号の昇順に記述され、エントリー・セル番号の記述順序でプログラム番号が割り当てられ、
前記セル再生情報には、当該セルを構成する最初のビデオ・オブジェクト・ユニットのアドレス及び最後のビデオ・オブジェクト・ユニットのアドレスが記述され、
再生時に再生装置に固有の言語コードと前記ビデオ・タイトル・セット・メニュー言語コードとの一致で前記ビデオ・タイトル・セット・メニュー言語ユニットを獲得するように前記ビデオ・タイトル・セット・メニュー言語コードが前記ビデオ・タイトル・セット・メニュー言語ユニット・サーチ・ポインタ内に記録されることを特徴とする光ディスクの記録方法が提供される。